(57)【要約】【目的】コマンド発行を行うための画面とその処理結果を表示するための画面とを、設定に基づくタイマの状態と操作者の操作とに応じて時分割で表示することができる情報処理装置を提供すること。【構成】複数の情報の画面表示を持続させる時間を各々設定／保持する手段を備え、それら情報の表示を全画面的に連続的に切り替え、処理を行う。又、処理する内容を指定する画面表示を持続させる時間を設定／保持する手段、処理した結果の画面表示を持続させる時間を設定／保持する手段を備え、該両持続時間の設定に応じて各々の画面表示を全画面的に連続的に切り替え、処理内容の指定と結果の表示とを繰り返し行う。更に、処理の各段階における結果の画面表示を持続させる時間を設定／  保持する手段を備え、該設定された持続時間毎に、処理の段階を進め、各段階における処理結果の表示を行う。【選択図】      図１
2004164043.tif 000002
【特許請求の範囲】
【請求項１】
複数の情報の画面表示を持続させる時間を各々設定／保持する手段を備え、それら情報の表示を全画面的に連続的に切り替え、処理を行うことを特徴とする情報処理装置。
【請求項２】
処理する内容を指定する画面表示を持続させる時間を設定／保持する手段、処理した結果の画面表示を持続させる時間を設定／保持する手段を備え、該両持続時間の設定に応じて各々の画面表示を全画面的に連続的に切り替え、処理内容の指定と結果の表示とを繰り返し行うことを特徴とする情報処理装置。
【請求項３】
処理の各段階における結果の画面表示を持続させる時間を設定／  保持する手段を備え、該設定された持続時間毎に、処理の段階を進め、各段階における処理結果の表示を行うことを特徴とする情報処理装置。
【請求項４】
処理が画像のズーム処理であることを特徴とする請求項１〜３の何れかに記載の情報処理装置。
【請求項５】
画像情報の全体を表示し、且つ、どの部分を拡大表示するかを指定するための画面表示と、指定された拡大部分を表示するための画面表示とを全画面的に切り替えて表示することを特徴とする情報処理装置。
【請求項６】
画像情報の全体を表示し、且つ、どの部分を拡大表示するかを指定するための画面表示と、指定された拡大部分を表示するための画面表示とを各々有し、停止が指示されるまで連続的に指定部分の拡大処理とその結果の表示を続けることを特徴とする情報処理装置。
【発明の詳細な説明】
【０００１】
【発明の属する技術分野】
本発明は、携帯型情報端末機器における情報表示の方法に関するものである。
【０００２】
【従来の技術】
従来、携帯型情報端末機器における情報表示の方法は、据置型情報端末機器の情報表示の方法をそのまま引き継いだ形のものが多かった。即ち、これは面積的に比較的余裕のある画面の使用を前提とした情報表示方法であり、例えば、何等かの処理を施したい領域を指定したり、又は処理の内容そのものを指示したりするコマンド発行を行うための画面と、発行されたコマンドに基づく処理を施した後の結果を表示するための画面とを同時に表示するようなものが多かった。
【０００３】
【発明が解決しようとする課題】
しかしながら、携帯型情報端末機器に備えられる画面は面積的に小さなものが多く、据置型情報端末機器の方法を引き継いだ形の情報表示方法では不具合が多かった。即ち、コマンド発行を行うための画面とその処理結果を表示するための画面とを、並行した形で表示する必要がある場合でも、両画面を同時に表示することは可読性／可視性という観点から不可能であり、このことは操作の簡便性を阻害していたと言える。
【０００４】
本発明は上記問題に鑑みてなされたもので、その目的とする処は、コマンド発行を行うための画面とその処理結果を表示するための画面とを、設定に基づくタイマの状態と操作者の操作とに応じて時分割で表示することができる情報処理装置を提供することにある。
【０００５】
【課題を解決するための手段】
上記目的を達成するため、請求項１記載の発明は、複数の情報の画面表示を持続させる時間を各々設定／保持する手段を備え、それら情報の表示を全画面的に連続的に切り替え、処理を行うことを特徴とする。
【０００６】
請求項２記載の発明は、処理する内容を指定する画面表示を持続させる時間を設定／保持する手段、処理した結果の画面表示を持続させる時間を設定／保持する手段を備え、該両持続時間の設定に応じて各々の画面表示を全画面的に連続的に切り替え、処理内容の指定と結果の表示とを繰り返し行うことを特徴とする。
【０００７】
請求項３記載の発明は、処理の各段階における結果の画面表示を持続させる時間を設定／  保持する手段を備え、該設定された持続時間毎に、処理の段階を進め、各段階における処理結果の表示を行うことを特徴とする。
【０００８】
請求項４記載の発明は、請求項１〜３の何れかに記載の発明において、処理が画像のズーム処理であることを特徴とする。
【０００９】
請求項５記載の発明は、画像情報の全体を表示し、且つ、どの部分を拡大表示するかを指定するための画面表示と、指定された拡大部分を表示するための画面表示とを全画面的に切り替えて表示することを特徴とする。
【００１０】
請求項６記載の発明は、画像情報の全体を表示し、且つ、どの部分を拡大表示するかを指定するための画面表示と、指定された拡大部分を表示するための画面表示とを各々有し、停止が指示されるまで連続的に指定部分の拡大処理とその結果の表示を続けることを特徴とする。
【００１１】
【発明の実施の形態】
以下に本発明の実施の形態を添付図面に基づいて説明する。
【００１２】
＜実施の形態１＞
図１は本発明を施した携帯型情報端末機器の構成の一部を示す図である。
【００１３】
図１において、１０１，１０２，１０３，１０４は操作スイッチであり、これらは設定により電源のオン／オフや操作指示等、様々な用途に宛がうことができる。１０５はカーソルやポインタ等に対する方向制御機能を有する操作スイッチであり、これも設定により様々な用途に宛がうことができる。１０６は情報を表示するための画面であり、１０７のペン等による操作指示が行えるタッチ・パッド機能を有している。１０８は音声入出力のための機構である。本例の携帯型情報端末機器には、その他に、据置型情報端末機器とのインタフェースをとるための機構やＡＣ電源を接続するための機能等が付随することもあるが、これら構成は本発明の内容を制限するものではない。
【００１４】
図２は本発明の動作フローを表す図である。以下では、本図に沿って適用例を交えながら、本発明の動作を説明する。
【００１５】
本発明を適用することができるアプリケーションが起動されると、本発明を施した携帯型情報端末機器は、コマンド発行を行うための画面（コマンド画面）を表示し（２０１）、操作者のコマンド発行を待つ状態となる（２０２）。適用例として、各都道府県の情報を示すアプリケーションを用いるが、このときの画面の表示は図３のようになり、操作者が地図上の何れかの都道府県を選択するのを受け付ける状態となる。
【００１６】
操作者のコマンド発行を待つ状態（２０２）は、予め操作者が設定した時間だけ続行し（２０３）、これはタイマの状態に基づいてなされる。タイマがＵＰする前にコマンド入力がなされると、そのコマンドが終了コマンドであるか否かの判断が先ずなされ（２０４）、終了コマンドであった場合は、現在起動しているアプリケーションを終了し、標準画面表示を行う（２０５）。適用例において操作者は、図３の画面右下に位置する「戻る」の領域をペン１０７でタップするか、操作スイッチ（１０１，１０２，１０３，１０４又は１０５）で選択操作することによって、終了コマンドとすることができる。
【００１７】
終了コマンド以外のコマンドであった場合は、そのコマンドの内容を反映するような処理を行い（２０６）、その結果のアプリケーション画面を表示する（２０７）。適用例の場合、操作者がペン１０７で何れかの都道府県の領域をタップするか、操作スイッチ（１０１，１０２，１０３，１０４，１０５）を操作し、ポインタを何れかの都道府県の領域上へ移動させて選択操作を行うことで、コマンド発行が行われる。
【００１８】
選択された都道府県が青森県であった場合、コマンド内容を反映させる処理として、青森県に関する情報が検索され、図４のようなアプリケーション画面の表示がなされる。アプリケーション画面の表示は、操作者がコマンド画面表示への移行を要求する（２０８）までか、予め操作者が設定した時間だけ続行し（２０９）、これはタイマの状態に基づいてなされる。タイマがＵＰするか、タイマがＵＰする前に操作者がコマンド画面表示への移行を要求した場合、コマンド画面表示（２０１）に戻る。
【００１９】
適用例において、操作者は、図４の画面左下に位置する「戻る」の領域をペン１０７でタップするか、操作スイッチ（１０１，１０２，１０３，１０４又は１０５）で選択操作することによって、コマンド画面表示への移行を要求することができる。以降、操作者が終了コマンドを発行するまでこれら動作が繰り返される。コマンド画面の表示時間とアプリケーション画面の表示時間とは独立した値を設定することができる。
【００２０】
適用例において、コマンド画面の表示中に何のコマンドも発行されなかった場合には、アプリケーション画面の表示においては青森県の情報の表示が繰り返され、又、コマンド画面の表示中に鹿児島県が選択された場合には、図５のように鹿児島県のデータが表示され、以降次のコマンドが発行されるまでアプリケーション画面の表示においては鹿児島県の情報の表示が繰り返されることとなる。
【００２１】
＜実施の形態２＞
本発明の実施の形態２を以下に示す。上記の実施の形態１と同様に、図１に示す携帯型情報端末機器を用いて示す。
【００２２】
図６は本実施の形態の動作フローを示す図である。以下では、本図に沿って適用例を交えながら本発明の動作を説明する。
【００２３】
本発明を適用することができるアプリケーションが起動されると、本発明を施した携帯型情報端末機器は、コマンド発行を行うための画面（コマンド画面）を表示し（６０１）、操作者のコマンド発行を待つ状態となる（６０２）。適用例として、画像情報を部分的に拡大して表示するアプリケーションを用いるが、このときの画面の表示は図７のようになり、操作者が画像上のどの領域を拡大表示したいのかを受け付ける状態となる。操作者のコマンド発行を待つ状態（６０２）は、予め操作者が設定した時間だけ続行し（６０３）、これはタイマの状態に基づいてなされる。
【００２４】
タイマがＵＰする前にコマンド入力が開始されると、そのコマンド入力の完了を待ち（６０４）、コマンド入力完了後、入力されたコマンドが有効なコマンドであるのか否かが判断される（６０５）。入力されたコマンドが有効でなかった場合は、タイマがＵＰするまで引き続きコマンド入力を待つ。入力されたコマンドが有効なコマンドであった場合、そのコマンドが終了コマンドであるか否かの判断を行う（６０６）。
【００２５】
終了コマンドであった場合は、現在起動しているアプリケーションを終了し、標準画面表示を行う（６０７）。適用例において操作者は、図７の画面右下に位置する「戻る」の領域をペン１０７でタップするか、操作スイッチ（１０１，１０２，１０３，１０４又は１０５）で選択操作することによって終了コマンドとすることができる。終了コマンド以外のコマンドであった場合は、そのコマンドの内容を反映するような処理を行い（６０８）、その結果のアプリケーション画面を表示する（６０９）。
【００２６】
適用例の場合，操作者がペン１０７又は操作スイッチ（１０１，１０２，１０３，１０４又は１０５）で２点を指示し、拡大したい領域を矩形で指定することにより拡大コマンドが発行されて拡大処理が行われ、図８のようなアプリケーション画面の表示がなされる。アプリケーション画面の表示は、操作者がコマンド画面表示への移行を要求する（６１０）までか、予め操作者が設定した時間だけ続行し（６１１）、これはタイマの状態に基づいてなされる。
【００２７】
タイマがＵＰするか、タイマがＵＰする前に操作者がコマンド画面表示への移行を要求した場合、コマンド画面表示（６０１）に戻る。適用例において操作者は、図８の画面右下に位置する「戻る」の領域をペン１０７でタップするか、操作スイッチ（１０１，１０２，１０３，１０４又は１０５）で選択することによって、コマンド画面表示への移行を要求することができる。以降、操作者が終了コマンドを発行するまでこれら動作が繰り返される。コマンド画面の表示時間とアプリケーション画面の表示時間とは独立した値を設定することができる。
【００２８】
適用例において、コマンド画面の表示中に何のコマンドも発行されなかった場合には、アプリケーション画面の表示においては図８の表示が繰り返され、又、コマンド画面の表示中に図９のようなコマンドが発行された場合には、図１０のような表示がなされ、以降別のコマンドが発行されるまでアプリケーション画面の表示においては、図１０の表示が繰り返されることとなる。
【００２９】
＜実施の形態３＞
本発明の実施の形態３を以下に示す。上記実施の形態と同様に、図１に示す携帯型情報端末機器を用いて示す。
【００３０】
図１１は本実施の形態の動作フローを示す図である。以下では、本図に沿って適用例を交えながら本発明の動作を説明する。
【００３１】
本発明を適用することができるアプリケーションが起動されると、本発明を施した携帯型情報端末機器は、コマンド発行を行うための画面（コマンド画面）を表示し（１１０１）、操作者のコマンド発行を待つ状態となる（１１０２）。適用例として、画像情報を或る部分を中心に拡大して表示するアプリケーションを用いるが、このときの画面は図１２のようになり、操作者がどの部分を中心に拡大表示したいのかを受け付ける状態となる。
【００３２】
操作者のコマンド発行を待つ状態（１１０２）は、操作者がコマンドを発行するまで続く。コマンドが入力されると、そのコマンドが終了コマンドであるか否かの判断を行う（１１０３）。終了コマンドであった場合は、現在起動しているアプリケーションを終了し、標準画面表示を行う（１１０４）。適用例において操作者は、図１２の画面右下に位置する「戻る」の領域をペン１０７でタップするか、操作スイッチ（１０１，１０２，１０３，１０４又は１０５）で選択操作することによって終了コマンドとすることができる。終了コマンド以外のコマンドであった場合は、そのコマンドの内容を反映するような処理を行い（１１０５）、その結果のアプリケーション画面を表示する（１１０６）。
【００３３】
適用例の場合、操作者がペン１０７又は操作スイッチ（１０１，１０２，１０３，１０４又は１０５）で１点を指定することで、拡大したい領域の中心を指示し、拡大したい中心を指定することで拡大コマンドが発行され、拡大処理が行われ、図１３のようなアプリケーション画面の表示がなされる。この状態のアプリケーション画面の表示は、操作者が確定要求をしない限り（１１０７）、タイマがＵＰするまでしか続かず（１１０８）、タイマがＵＰする（１１０８）と、コマンド内容を反映させる処理がもう１度施され（１１０５）、その結果のアプリケーション画面の表示がなされる（１１０６）。
【００３４】
適用例においては、更にもう１段拡大処理が施され、図１４及び図１５のように、段々と拡大表示が成されていく。操作者は、画面右下の「確定」の領域をペン１０７でタップするか、操作スイッチ（１０１，１０２，１０３，１０４又は１０５）で選択することによって、拡大処理を止めさせ、アプリケーション画面の表示状態を保持することができる。この状態は、操作者が画面右下の「戻る」の領域をペン１０７でタップするか、操作スイッチ（１０１，１０２，１０３，１０４又は１０５）で選択することによって、コマンド画面表示への移行を要求するまで続く（１１０９）。コマンド画面への移行が要求されると、再びコマンド画面の表示がなされる（１１０１）。
【００３５】
【発明の効果】
以上の説明で明らかなように、本発明によれば、携帯型情報処理端末機器に備えられる比較的面積的に小さな画面の有効利用を操作の簡便性を犠牲にすることなく図ることができるという効果が得られる。
【図面の簡単な説明】
【図１】本発明を施した携帯型情報処理端末機器の構成を表す図である。
【図２】本発明の実施の形態１の動作フローを表す図である。
【図３】本発明の実施の形態１の適用例のコマンド画面の図である。
【図４】本発明の実施の形態１の適用例の第１のアプリケーション画面の図である。
【図５】本発明の実施の形態１の適用例の第２のアプリケーション画面の図である。
【図６】本発明の実施の形態２の動作フローを表す図である。
【図７】本発明の実施の形態２の適用例の第１のコマンド画面の図である。
【図８】本発明の実施の形態２の適用例の第１のアプリケーション画面の図である。
【図９】本発明の実施の形態２の適用例の第２のコマンド画面の図である。
【図１０】本発明の実施の形態２の適用例の第２のアプリケーション画面の図である。
【図１１】本発明の実施の形態３の動作フローを表す図である。
【図１２】本発明の実施の形態３の適用例のコマンド画面の図である。
【図１３】本発明の実施の形態３の適用例の第１のアプリケーション画面の図である。
【図１４】本発明の実施の形態３の適用例の第２のアプリケーション画面の図である。
【図１５】本発明の実施の形態３の適用例の第３のアプリケーション画面の図である。
【符号の説明】
１０１〜１０５  操作スイッチ
１０６      タッチ・パッド機能を有する画面
１０７      ペン
１０８      音声入出力機構
２０１〜２０９  動作状態
６０１〜６１１  動作状態
【図１】
2004164043.tif 000003
【図２】
2004164043.tif 000004
【図３】
2004164043.tif 000005
【図４】
2004164043.tif 000006
【図５】
2004164043.tif 000007
【図６】
2004164043.tif 000008
【図７】
2004164043.tif 000009
【図８】
2004164043.tif 000010
【図９】
2004164043.tif 000011
【図１０】
2004164043.tif 000012
【図１１】
2004164043.tif 000013
【図１２】
2004164043.tif 000014
【図１３】
2004164043.tif 000015
【図１４】
2004164043.tif 000016
【図１５】
2004164043.tif 000017